(57)【要約】【課題】スライド扉を閉成した際に支持枠との間に隙間を生じないようにし、内部雰囲気の変化を抑制する。【解決手段】上レール部材２１の右端部に、右上部ストッパ４０が装着される。支持枠２０にスライド可能に支持される前スライド扉１８の右枠体３８に、パッキン３５が上下方向に延在するよう配設される。前スライド扉１８により開口部１６を閉成した際に、パッキン３５が右枠部材２５に当接する。このとき、パッキン３５の上方に隙間４５が生ずるが、この隙間４５は、前記右上部ストッパ４０に設けられた上遮蔽部４４で塞がれる。すなわち、隙間４５を介して収納室から冷気が逃出するのは防止される。【選択図】　図１
2004011272.tif 000002
【特許請求の範囲】
【請求項１】
箱体（１３）に開設された開口部（１６）の内周上下に配設された一対のレール部材（２１，２２）および内周左右に配設された一対の枠部材（２４，２５）から支持枠（２０）が構成され、上下のレール部材（２１，２２）間に前記開口部（１６）を開閉する少なくとも２枚のスライド扉（１８，１９）がスライド可能に支持され、各スライド扉（１８，１９）の一側縁に配設されて上下方向に延在するパッキン（３５）を、該スライド扉（１８，１９）を所定方向にスライドして対応する枠部材（２４，２５）に当接することで開口部（１６）を閉成した際に、該パッキン（３５）と上レール部材（２１）との間に隙間（４５）を生ずるスライド扉の支持枠構造において、
前記上レール部材（２１）における扉スライド方向の両端部に配設され、一方のスライド扉（１８，１９）を開放した際に該扉（１８，１９）の端部が当接する機能部材（４０，４１）に、他方のスライド扉（１９，１８）を閉成した際に生ずる前記隙間（４５）を塞ぐ遮蔽部（４４）を設けた
ことを特徴とするスライド扉の支持枠構造。
【請求項２】
箱体（１３）に開設された開口部（１６）の内周上下に配設された一対のレール部材（２１，２２）および内周左右に配設された一対の枠部材（２４，２５）から支持枠（２０）が構成され、上下のレール部材（２１，２２）間に前記開口部（１６）を開閉する少なくとも２枚のスライド扉（１８，１９）がスライド可能に支持され、各スライド扉（１８，１９）の一側縁に配設されて上下方向に延在するパッキン（３５）を、該スライド扉（１８，１９）を所定方向にスライドして対応する枠部材（２４，２５）に当接することで開口部（１６）を閉成した際に、該パッキン（３５）と下レール部材（２２）との間に隙間（５０）を生ずるスライド扉の支持枠構造において、
前記下レール部材（２２）における扉スライド方向の両端部に配設され、一方のスライド扉（１８，１９）を開放した際に該扉（１８，１９）の端部が当接する機能部材（４６，４７）に、他方のスライド扉（１９，１８）を閉成した際に生ずる前記隙間（５０）を塞ぐ遮蔽部（４９）を設けた
ことを特徴とするスライド扉の支持枠構造。
【請求項３】
箱体（１３）に開設された開口部（１６）の内周上下に配設された一対のレール部材（２１，２２）および内周左右に配設された一対の枠部材（２４，２５）から支持枠（２０）が構成され、上下のレール部材（２１，２２）間に前記開口部（１６）を開閉する少なくとも２枚のスライド扉（１８，１９）がスライド可能に支持され、各スライド扉（１８，１９）の一側縁に配設されて上下方向に延在するパッキン（３５）を、該スライド扉（１８，１９）を所定方向にスライドして対応する枠部材（２４，２５）に当接することで開口部（１６）を閉成した際に、該パッキン（３５）と上下のレール部材（２１，２２）との間に夫々隙間（４５，５０）を生ずるスライド扉の支持枠構造において、
前記上レール部材（２１）における扉スライド方向の両端部に配設され、一方のスライド扉（１８，１９）を開放した際に該扉（１８，１９）の端部が当接する上機能部材（４０，４１）に、他方のスライド扉（１９，１８）を閉成した際に生ずる前記上側の隙間（４５）を塞ぐ上遮蔽部（４４）を設け、
前記下レール部材（２２）における扉スライド方向の両端部に配設され、一方のスライド扉（１８，１９）を開放した際に該扉（１８，１９）の端部が当接する下機能部材（４６，４７）に、他方のスライド扉（１９，１８）を閉成した際に生ずる前記下側の隙間（５０）を塞ぐ下遮蔽部（４９）を設けた
ことを特徴とするスライド扉の支持枠構造。
【発明の詳細な説明】
【０００１】
【発明の属する技術分野】
この発明はスライド扉の支持枠構造に関し、更に詳細には、箱体の開口部を開閉するスライド扉をスライド可能に支持する支持枠において、スライド扉を閉成した際に支持枠との間に生ずる隙間を塞ぐようにした支持枠構造に関するものである。
【０００２】
【従来の技術】
食品や飲料品等の被保存物を冷蔵して保存するショーケースが、ショッピングセンタやコンビニエンスストア等に設置されている。このショーケースは、断熱構造の箱体に内部画成した収納室に、冷凍機構を構成する冷却器で熱交換した冷気を強制循環することで、該収納室に収納した被保存物を保冷するよう構成される。また箱体の前部には、前方に開放する矩形状の開口部が開設され、この開口部の内周囲には、２枚のスライド扉をスライド可能に支持する支持枠が配設されている。この支持枠は、開口部の内周上下に配設された上レール部材および下レール部材と、開口部の内周左右に配設された左枠部材および右枠部材とから構成され、上下のレール部材間に２枚のスライド扉が前後の関係で夫々スライド可能に支持され、各スライド扉を左方または右方にスライドして左側縁または右側縁を対応する左枠部材または右枠部材に当接することで、前記開口部を閉成するよう構成されている。
【０００３】
また、前記スライド扉を閉成した際に対応する枠部材に当接する側縁には、該枠部材に密着して開口部を密閉するパッキンが延設されており、スライド扉の閉成時には収納部内の冷気が逃出するのを防止するよう構成される。
【０００４】
【発明が解決しようとする課題】
前記ショーケースのスライド扉は、該扉を下レール部材から所定高さだけ持上げて、該下レール部材と扉下部との係合を解除した後、該スライド扉を前側に向けて斜めに降ろして上レール部材と扉上部との係合を解除することで、支持枠から取外し得るよう構成されている。このため、前記パッキンの上端は、スライド扉の下部と下レール部材との係合を解除する高さ分だけ低く設定され、該スライド扉を持上げた際に上レール部材とパッキンとが干渉しないよう構成されている。すなわち、パッキンの上端と上部レール部材とは前記高さ分だけ離間しているから、スライド扉を閉成しても、支持枠とスライド扉との上部隅部には、枠部材とパッキンとが当接しない隙間を生じ、この隙間から内部冷気が逃出する問題があった。
【０００５】
またスライド扉の下部には、下レール部材に設けられたレール条が嵌り込む溝を形成した下枠体が配設されており、前記パッキンの下端は下枠体の上端位置までしか延在していなかった。このため、支持枠とスライド扉との下部隅部においても、下枠体の高さ分だけパッキンと枠部材とが当接しない隙間を生じ、この隙間から内部冷気が逃出する問題も指摘される。
【０００６】
【発明の目的】
本発明は、前述した従来の技術に内在している前記課題に鑑み、これを好適に解決するべく提案されたものであって、スライド扉を閉成した際に支持枠との間に隙間を生じないようにし、内部雰囲気の変化を抑制し得るようにしたスライド扉の支持枠構造を提供することを目的とする。
【０００７】
【課題を解決するための手段】
前記課題を克服し、所期の目的を好適に達成するため、本発明に係るスライド扉の支持枠構造は、
箱体に開設された開口部の内周上下に配設された一対のレール部材および内周左右に配設された一対の枠部材から支持枠が構成され、上下のレール部材間に前記開口部を開閉する少なくとも２枚のスライド扉がスライド可能に支持され、各スライド扉の一側縁に配設されて上下方向に延在するパッキンを、該スライド扉を所定方向にスライドして対応する枠部材に当接することで開口部を閉成した際に、該パッキンと上レール部材との間に隙間を生ずるスライド扉の支持枠構造において、
前記上レール部材における扉スライド方向の両端部に配設され、一方のスライド扉を開放した際に該扉の端部が当接する機能部材に、他方のスライド扉を閉成した際に生ずる前記隙間を塞ぐ遮蔽部を設けたことを特徴とする。
【０００８】
前記課題を克服し、所期の目的を好適に達成するため、本願の別の発明に係るスライド扉の支持枠構造は、
箱体に開設された開口部の内周上下に配設された一対のレール部材および内周左右に配設された一対の枠部材から支持枠が構成され、上下のレール部材間に前記開口部を開閉する少なくとも２枚のスライド扉がスライド可能に支持され、各スライド扉の一側縁に配設されて上下方向に延在するパッキンを、該スライド扉を所定方向にスライドして対応する枠部材に当接することで開口部を閉成した際に、該パッキンと下レール部材との間に隙間を生ずるスライド扉の支持枠構造において、
前記下レール部材における扉スライド方向の両端部に配設され、一方のスライド扉を開放した際に該扉の端部が当接する機能部材に、他方のスライド扉を閉成した際に生ずる前記隙間を塞ぐ遮蔽部を設けたことを特徴とする。
【０００９】
前記課題を克服し、所期の目的を好適に達成するため、本願の更に別の発明に係るスライド扉の支持枠構造は、
箱体に開設された開口部の内周上下に配設された一対のレール部材および内周左右に配設された一対の枠部材から支持枠が構成され、上下のレール部材間に前記開口部を開閉する少なくとも２枚のスライド扉がスライド可能に支持され、各スライド扉の一側縁に配設されて上下方向に延在するパッキンを、該スライド扉を所定方向にスライドして対応する枠部材に当接することで開口部を閉成した際に、該パッキンと上下のレール部材との間に夫々隙間を生ずるスライド扉の支持枠構造において、
前記上レール部材における扉スライド方向の両端部に配設され、一方のスライド扉を開放した際に該扉の端部が当接する上機能部材に、他方のスライド扉を閉成した際に生ずる前記上側の隙間を塞ぐ上遮蔽部を設け、
前記下レール部材における扉スライド方向の両端部に配設され、一方のスライド扉を開放した際に該扉の端部が当接する下機能部材に、他方のスライド扉を閉成した際に生ずる前記下側の隙間を塞ぐ下遮蔽部を設けたことを特徴とする。
【００１０】
【発明の実施の形態】
次に、本発明に係るスライド扉の支持枠構造につき、好適な実施例を挙げて、添付図面を参照しながら以下説明する。
【００１１】
図１は、実施例に係るスライド扉の支持枠構造の要部を示すものであり、図２および図３は、実施例の支持枠構造が採用されるショーケースの全体構造を示すものである。図に示す如く、実施例のショーケース１０は、合成樹脂材料を真空成形により前方に開口する矩形箱状に形成した内箱１１の外側に、複数の外装板からなる外箱１２を所定間隔離間して配設すると共に、内箱１１と外箱１２との間の空間に断熱材を充填した断熱構造の箱体１３の内部に、被保存物が収納される収納室１４が画成されている。そして、冷凍機構を構成する冷却器１５により熱交換された冷気を、該収納室１４に強制循環することで、収納した被保存物を保冷するよう構成される。
【００１２】
前記箱体１３の前部に開設される矩形状の開口部１６の内周縁には、後述する前後の関係で位置する２枚のスライド扉１８，１９をスライド可能に支持する支持枠２０が配設されている。この支持枠２０は、開口部１６の内周上下に配設された上レール部材２１および下レール部材２２と、開口部１６の内周左右に配設された左枠部材２４および右枠部材２５とから構成される。なお、上レール部材２１および左右の枠部材２４，２５は、前記内箱１１と外箱１２との接続部材を兼ねている。
【００１３】
（上レール部材について）
前記支持枠２０を構成する上レール部材２１は、図４に示すように、合成樹脂材料を図示の断面形状で押出成形した長尺な部材であって、その延在長さは、前記開口部１６における上側の左右幅寸法と略同一になる寸法に設定される。この上レール部材２１には、前後に離間して幅方向に平行に延在する断面矩形状の通路２６，２７が形成されると共に、両通路２６，２７の下部には、上下に貫通するレール溝２８，２９が幅方向に平行に形成されている。そして、前側に位置する前レール溝２８および前通路２６に、前側に位置する前スライド扉１８の上端部３６ａが摺動可能に挿通支持されると共に、後側に位置する後レール溝２９および後通路２７に、後側に位置する後スライド扉１９の上端部３６ａが摺動可能に挿通支持されるようになっている。なお、両レール溝２８，２９の前後方向の寸法は、対応する通路２６，２７の前後方向の寸法より小さく設定してある。
【００１４】
（下レール部材について）
前記支持枠２０を構成する下レール部材２２は、図７に示すように、合成樹脂材料を図示の断面形状で押出成形した長尺な部材であって、その延在長さが、前記開口部１６における下部の左右幅寸法と略同一寸法に設定されている。この下レール部材２２は、前記上レール部材２１の各レール溝２８，２９と対向する位置に、レール条３０，３１が幅方向の略全長に亘って突設されており、前側に位置する前レール条３０に前スライド扉１８の下端部が摺動可能に載架されると共に、後側に位置する後レール条３１に後スライド扉１９の下端部が摺動可能に載架されるよう構成される。
【００１５】
（左右の枠部材について）
前記支持枠２０を構成する左右の枠部材２４，２５は左右対称であるので、一方（正面において右側に配設される方）の右枠部材２５の構成についてのみ説明し、他方の左枠部材２４の同一部材には同じ符号を付して示すこととする。図８に示すように、右枠部材２５は、合成樹脂材料を図示の断面形状で押出成形した長尺な部材であって、その延在長さが、前記開口部１６に上下のレール部材２１，２２を配設した状態での縦方向の寸法と略同一寸法に設定されている。また右枠部材２５には、前後に離間して開口部側に延出する一対の延出部３２，３３が平行に突設されると共に、両延出部３２，３３の間に金属板３４が配設され、各スライド扉１８，１９に配設した後述するパッキン３５が磁力吸着するよう構成される。
【００１６】
（スライド扉について）
前記支持枠２０における上下のレール部材２１，２２間にスライド可能に支持された前後に位置するスライド扉１８，１９の基本的な構成は同じであるので、正面右側に位置する前スライド扉１８の構成につき説明し、他方の後スライド扉１９の同一部材には同じ符号を付して示すこととする。
【００１７】
前記前スライド扉１８は、図２に示す如く、ガラスや合成樹脂等から形成される透明な矩形状の平板材３６と、該平板材３６の左右の外縁部に配設された合成樹脂製の左枠体３７と右枠体３８、および平板材３６の下側の外縁部に配設された合成樹脂製の下枠体３９とから構成される。平板材３６は、前記開口部１６の右半分を略閉成可能な寸法に設定され、右枠体３８（後スライド扉１９では左枠体３７）を前記対応する右枠部材２５（後スライド扉１９では左枠部材２４）に当接することで、該開口部１６を閉成するようになっている。
【００１８】
前記下枠体３９には、その長手方向に沿って溝３９ａが形成され（図７参照）、該溝３９ａが前記下レール部材２２の対応する前レール条３０にスライド可能に遊嵌されるようになっている。また、前記左右の枠体３７，３８の上下方向の長さ寸法は、前記平板材３６の上下方向の寸法よりも短かく設定され、該枠体３７，３８の上端部から突出する平板材３６の上端部３６ａが、図１に示す如く、前記対応する前レール溝２８および前通路２６に挿通されて摺動可能に支持されるよう構成される。なお、左右の両枠体３７，３８の上端は、前スライド扉１８を支持枠２０から取外すに際し、前記下枠体３９の溝３９ａが前レール条３０から離脱し得る高さだけ該前スライド扉１８を持上げたときに、前記上レール部材２１と干渉しない位置に設定してある。また、前通路２６の高さ寸法に関しても、前スライド扉１８を支持枠２０から取外す際に前記高さだけ持上げるのを許容するよう設定されている。
【００１９】
前記前スライド扉１８の一側縁である右枠体３８（後スライド扉１９の場合は左枠体３７）には、その長手方向（上下方向）の略長全に亘ってパッキン３５が延設され、前記開口部１６を前スライド扉１８で閉成した際に、該パッキン３５が前記右枠部材２５の内側面に密着して、前記収納室１４からの冷気の逃出を防止するよう構成されている。なお、前記パッキン３５としては、ゴムに磁性材料を混合したものが使用され、前スライド扉１８を閉成した際にパッキン３５を対応する右枠部材２５に配設した前記金属板３４に磁力吸着させることで、該スライド扉１８を閉成位置に保持すると共に密閉性を向上するよう構成してある。またパッキン３５の上端は、右枠体３８の上端に略一致して（図１参照）、前スライド扉１８の支持枠２０からの取外しを阻害しないようになっていると共に、その下端は下枠体３９の上端に略一致するよう設定される（図９参照）。
【００２０】
（上部ストッパについて）
前記上レール部材２１には、図２に示す如く、その長手方向（扉スライド方向）の両端部に、ゴム等の弾性を有する材料から形成された上機能部材としての上部ストッパ４０，４１が装着されている。左右に位置する上部ストッパ４０，４１の基本的な構成は同じであるので、正面右側に位置する右上部ストッパ４０の構成につき説明し、他方の左上部ストッパ４１の同一部材には同じ符号を付して示すこととする。
【００２１】
前記右上部ストッパ４０は、図５および図６に示す如く、矩形状に形成された基部２３が、上レール部材２１における両通路２６，２７を閉塞可能な寸法に設定されると共に、その一方の側端面には、前記前通路２６に挿通可能な断面形状に設定された前係止体４２と、後通路２７および後レール溝２９に挿通可能な断面形状に設定された後係止体４３とが前後の関係で平行に形成されている。そして、前係止体４２を対応する前通路２６に挿通すると共に、後係止体４３を対応する後通路２７および後レール溝２９に挿通して、基部２３の側端面を上レール部材２１の対向する端面に当接した位置で、当該右上部ストッパ４０が上レール部材２１の右端部に位置決め装着されるようになっている。すなわち、この右上部ストッパ４０は、図１に示す如く、上レール部材２１と右枠部材２５とが当接する部位に臨み、前記両通路２６，２７の長手方向の開口部およびレール溝２８，２９を夫々塞ぐと共に上レール部材２１と右枠部材２５同士を隙間なく当接して、当該当接部分から発泡漏れを生ずるのを防止するべく機能する。なお、右上部ストッパ４０においては、後係止体４３が前係止体４２より長く設定されて、該後係止体４３が後スライド扉（一方のスライド扉）１９を開放した際の緩衝材およびストッパとしても機能し、また左上部ストッパ４１においては、前係止体４２が後係止体４３より長く設定されて、該前係止体４２が前スライド扉（一方のスライド扉）１８を開放した際の緩衝材およびストッパとしても機能するよう構成される。但し、左上部ストッパ４１においては、前係止体４２が前通路２６および前レール溝２８に挿通可能な断面形状に設定され、後係止体４３が後通路２７に挿通可能な断面形状に設定されている。
【００２２】
前記右上部ストッパ４０の基部２３には、下方に突出する上遮蔽部（遮蔽部）４４が設けられている。この上遮蔽部４４は、図１に示す如く、前スライド扉１８を閉成した際に、前記パッキン３５、上レール部材２１および右枠部材２５との間に画成される上側の隙間４５を塞ぐよう構成される。
【００２３】
（下部ストッパについて）
前記下レール部材２２には、図２に示す如く、その長手方向（扉スライド方向）の両端部に、ゴム等の弾性を有する材料から形成された下機能部材としての下部ストッパ４６，４７が夫々装着されるよう構成される。左右に位置する下部ストッパ４６，４７の構成は同じであるので、正面右側に位置する右下部ストッパ４６の構成につき説明し、他方の左下部ストッパ４７の同一部材には同じ符号を付して示すこととする。
【００２４】
前記右下部ストッパ４６は、図１０および図１１に示す如く、略矩形状に形成された本体部４８の長手方向の一端部側の下面に、前記下レール部材２２の後レール条３１に嵌合可能な嵌合溝４８ａが形成され、該嵌合溝４８ａを後レール条３１に嵌合することで、当該右下部ストッパ４６が下レール部材２２の右端部に装着されるよう構成される。そして、この装着状態において前記本体部４８における嵌合溝４８ａが形成される端部とは反対の他端部は、図８に示す如く、前記右枠部材２５の内側面（金属板３４）に当接するよう設定される。また本体部４８の他端部には、下部ストッパが装着されるレール条とは反対のレール条側、すなわち右下部ストッパ４６では前レール条３０側に向けて突出する下遮蔽部（遮蔽部）４９が設けられる。そしてこの下遮蔽部４９が、図８に示す如く、前スライド扉１８を閉成した際に、前記パッキン３５、下レール部材２２および右枠部材２５との間に画成される下側の隙間５０を塞ぐよう構成される。なお、左下部ストッパ４７は、嵌合溝４８ａを前レール条３０に嵌合することで、他端部が左枠部材２４の内側面に当接した状態で下レール部材２２の左端部に装着され、後レール条３１側に向けて突出する下遮蔽部（遮蔽部）４９により、パッキン３５、下レール部材２２および左枠部材２４との間に画成される下側の隙間５０を塞ぐよう構成されている。
【００２５】
前記右下部ストッパ４６の本体部４８は、後スライド扉（一方のスライド扉）１９を開放した際に該扉１９の右端部が当接して、緩衝材およびストッパとしても機能する。また、右下部ストッパ４６の本体部４８における嵌合溝４８ａが形成される下面で、下遮蔽部４９が突出する側と反対側において長手方向に延在する稜部、本体部４８の他端部における下遮蔽部４９が突出する側と反対側において上下方向に延在する稜部、および下遮蔽部４９の上下両側において前後に延在する稜部の夫々は、斜めに面取りされた傾斜面５１とされている。そして、右下部ストッパ４６を下レール部材２２に装着した際に、下レール部材２２と右枠部材２５との接合内縁部に対して下遮蔽部４９の下側に位置する傾斜面５１が対向して所要の隙間を画成し、両部材２２，２５の接合部を埋めるコーキング（図示せず）が右下部ストッパ４６に付かないようになっている。更に、右下部ストッパ４６のその他の傾斜面５１は、該ストッパ４６を下レール部材２２に装着した状態で、前記右枠部材２５における後側の延出部３３の内側延出基端縁や、下レール部材２２における後レール条３１の後側に立設された後壁５２の内側立設基端縁と対向して隙間を画成し、これら各隙間を介して下レール部材２２に溜まる結露水等を排出させ得るよう構成される。なお、左下部ストッパ４７においては、該ストッパ４７を下レール部材２２に装着した状態で、下レール部材２２と前記左枠部材２４との接合内縁部、左枠部材２４における前側の延出部３２の内側延出基端縁、および下レール部材２２における前レール条３０の前側に立設された前壁５３の内側立設基端縁の夫々に対して各傾斜面５１が対向して隙間を画成し、これら各隙間を介して結露水等を排出させるようになっている。
【００２６】
【実施例の作用】
次に、前述した実施例に係るスライド扉の支持枠構造の作用につき説明する。
前記箱体１３を形成するに際しては、前記内箱１１に対して、上下のレール部材２１，２２および左右の枠部材２４，２５を所定位置に取付けると共に、該内箱１１の外側に所定間隔離間して外箱１２を取付ける。なお、前記上レール部材２１の左右両端部に、前記上部ストッパ４０，４１を予め夫々装着し、該上レール部材２１と左右の枠部材２４，２５との接合部を隙間なく当接させる。この状態で、両箱１１，１２の間に画成される空間に断熱材を充填発泡することで、断熱構成の箱体１３が製造される。この場合に、上レール部材２１と左右の枠部材２４，２５との接合部は上部ストッパ４０，４１により隙間なく当接しているから、当該部位から発泡漏れが発生するのは好適に防止される。
【００２７】
前記下レール部材２２の左右両端部に、前記下部ストッパ４６，４７を夫々装着した後、前記支持枠２０に前後のスライド扉１８，１９を取付ける。両スライド扉１８，１９において、左右の枠体３７，３８およびパッキン３５の上端は、上レール部材２１から所定長さだけ下方に離間しており、各スライド扉１８，１９を下レール部材２２から所定高さだけ持上げて、該下レール部材２２のレール条３０，３１から前記下枠体３９，３９の溝３９ａ，３９ａを離脱させた後、該スライド扉１８，１９を前側に向けて斜めに降ろして上レール部材２１の通路２６，２７およびレール溝２８，２９から前記平板材３６，３６の上端部３６ａ，３６ａを引抜くことで、当該スライド扉１８，１９を支持枠２０から取外すことができる。なお、下部ストッパ４６，４７を下レール部材２２に装着した際に、該下レール部材２２と左右の枠部材２４，２５との接合内縁部と前記傾斜面５１とが対向して隙間が形成されるから（図９参照）、当該部位を目止めしているコーキングが該ストッパ４６，４７に付くことはなく、また該コーキングにより下部ストッパ４６，４７が適正な位置に装着されなくなることもない。
【００２８】
前述したようにして支持枠２０にスライド可能に取付けた、例えば前スライド扉１８により前記開口部１６を閉成するべく右方にスライドすると、該前スライド扉１８の右枠体３８に配設されている前記パッキン３５が、前記右枠部材２５の金属板３４に磁力吸着し、前スライド扉１８は閉成位置に保持される。またパッキン３５が右枠部材２５に密着することで、両者２５，３５の間に隙間がなくなり、前記収納室１４からの冷気の逃出は防止される。この場合において、パッキン３５は前スライド扉１８の上下方向の全長に亘って配設されておらず、該パッキン３５が配設されていない前スライド扉１８の上部および下部と支持枠２０との間には隙間４５，５０が夫々画成される。
【００２９】
実施例の支持枠２０では、前記上レール部材２１に配設した右上部ストッパ４０および下レール部材２２に配設した右下部ストッパ４６の夫々の遮蔽部４４，４９が、対応する前記隙間４５，５０を塞ぐように位置する（図１，図９参照）。従って、前スライド扉１８と支持枠２０との間には、該扉１８の上下方向の略全長に亘って隙間を生ずることはなく、前記収納室１４からの冷気の逃出を好適に防止することができる。また右上部ストッパ４０および右下部ストッパ４６は、後スライド扉１９を開放した際に、該扉１９の右端部が当接して緩衝材およびストッパとして機能し、大きな騒音が発生したり後スライド扉１９が破損するのは防止される。なお、実施例のように上レール部材２１に対して平板材３６の上端部３６ａを直に支持するよう構成した場合は、前スライド扉１８を閉成した際には該上端部３６ａが右上部ストッパ４０に当接するが、このときであっても該ストッパ４０は弾性材料から構成されているから平板材３６が破損することはない。また、支持枠２０にスライド可能に取付けた後スライド扉１９により前記開口部１６を閉成する場合や、前スライド扉１８を開放する場合においての作用は、前述したと同様になる。
【００３０】
前記上下の隙間４５，５０を塞ぐ遮蔽部４４，４９は、上下のレール部材２１，２２に装着される上下のストッパ４０，４１，４６，４７に設けられているから、該隙間４５，５０を塞ぐための別部材をネジ等を用いて取付ける必要はなく、部品点数や組付け工数が増加することはない。また上部ストッパ４０，４１に関しては、上レール部材２１に嵌挿されているから、簡単に脱落することはない。
【００３１】
前記下部ストッパ４６，４７に関しては、左右同一の構成のものを使用するようにしたから、左右を逆に装着することはなく、また加工コストを低廉に抑えると共に部品管理が簡単となる。また下部ストッパ４６，４７は下レール部材２２に嵌挿されているだけなので、清掃に際して簡単に取外すことができ、常に衛生的に保ち得る。更に、下部ストッパ４６，４７の各稜部を傾斜面５１としたことで、下レール部材２２に装着した際に各傾斜面５１と対向する部分に隙間を画成し、これらの隙間から下レール部材２２に溜まる結露水等を排出することができる。
【００３２】
実施例では、スライド扉を所定方向にスライドして対応する枠部材に当接することで開口部を閉成した際に、パッキンと上下のレール部材との間に夫々隙間を生ずる構成のショーケースの場合で説明したが、上または下の何れか一方にのみ隙間を生ずる構成のものであってもよく、対応する上また下の何れかのレール部材に遮蔽部を有する機能部材を装着するものであればよい。また実施例では、箱体に内部画成した収納室を冷却する構成で説明したが、収納室を加温するものであってもよい。
【００３３】
【発明の効果】
以上説明した如く、請求項１の発明に係るスライド扉の支持枠構造では、スライド扉により開口部を閉成した際に、パッキンと上レール部材との間に生ずる隙間を、一方のスライド扉を開放した際のストッパとして機能する機能部材に設けた遮蔽部で塞ぐよう構成したから、箱体の内部雰囲気が変化するのを防止することができる。また、請求項２の発明に係るスライド扉の支持枠構造では、スライド扉により開口部を閉成した際に、パッキンと下レール部材との間に生ずる隙間を、一方のスライド扉を開放した際のストッパとして機能する機能部材に設けた遮蔽部で塞ぐよう構成したから、箱体の内部雰囲気が変化するのを防止することができる。
【００３４】
更に、請求項３の発明に係るスライド扉の支持枠構造では、スライド扉により開口部を閉成した際に、パッキンと上下のレール部材との間に生ずる夫々の隙間を、一方のスライド扉を開放した際のストッパとして機能する上下の機能部材に設けた上下の遮蔽部で夫々塞ぐよう構成したから、スライド扉の上下方向の略全長に亘って開口部を密閉することができ、箱体の内部雰囲気が変化するのを好適に防止し得る。
【図面の簡単な説明】
【図１】実施例に係るスライド扉の支持枠構造における上レール部材および右枠部材の配設部位を示す縦断正面図である。
【図２】実施例に係る支持枠構造が採用されるショーケースの正面図である。
【図３】実施例に係る支持枠構造が採用されるショーケースの縦断側面図である。
【図４】実施例に係る支持枠構造における上レール部材の配設部位を示す縦断側面図である。
【図５】実施例に係る右上部ストッパを示す概略斜視図である。
【図６】実施例に係る右上部ストッパを示す概略斜視図である。
【図７】実施例に係る支持枠構造における下レール部材の配設部位を示す縦断側面図である。
【図８】実施例に係る支持枠構造における下レール部材および右枠部材の配設部位を示す横断平面図である。
【図９】実施例に係る支持枠構造における下レール部材および右枠部材の配設部位を示す縦断正面図である。
【図１０】実施例に係る右下部ストッパを示す概略斜視図である。
【図１１】実施例に係る右下部ストッパを示す概略斜視図である。
【符号の説明】
１３箱体，１６開口部，１８前スライド扉，１９後スライド扉
２０支持枠，２１上レール部材，２２下レール部材，２４左枠部材
２５右枠部材，３５パッキン，４０右上部ストッパ（上機能部材）
４１左上部ストッパ（上機能部材），４４上遮蔽部（遮蔽部）
４５上側の隙間，４６右下部ストッパ（下機能部材）
４７左下部ストッパ（下機能部材），４９下遮蔽部（遮蔽部）
５０下側の隙間
【図１】
2004011272.tif 000003
【図２】
2004011272.tif 000004
【図３】
2004011272.tif 000005
【図４】
2004011272.tif 000006
【図５】
2004011272.tif 000007
【図６】
2004011272.tif 000008
【図７】
2004011272.tif 000009
【図８】
2004011272.tif 000010
【図９】
2004011272.tif 000011
【図１０】
2004011272.tif 000012
【図１１】
2004011272.tif 000013